(57)【要約】    【課題】温度及び湿度を最適化して十分な発汗作用により家庭やホテル個室などで波動浴を楽しむことを可能とする。    【解決手段】ユニット型波動浴装置１０は、パネルユニットにより構成された浴室ユニット１２と、浴室ユニット１２の床に敷き詰められ、表面に遠赤外線放射率の高い波動石など遠赤外線高放射率岩石の薄板を配置すると共に本体を遠赤外線高放射率岩石の砂及び砕石を混入したコンクリートで形成した複数の波動浴床ユニット１４と、波動浴床ユニット１４の各々に組み込まれた温水パイプ１６と、温水パイプ１６に温水を還流させる床暖ボイラー装置１８と、複数の波動浴床ユニット１４を敷き詰めた床の周囲に形成された溝内に配置され、複数のノズル２６から温水を流出して自然蒸発させる散水パイプ２４とを備える。    【選択図】        図１
0003115782.tif 000002
【実用新案登録請求の範囲】
【請求項１】
パネルユニットにより構成された浴室と、
前記浴室の床に敷き詰められ、表面に遠赤外線放射率の高い波動石など遠赤外線高放射率岩石の薄板を配置すると共に本体を前記遠赤外線高放射率岩石の砂及び砕石を混入したコンクリートで形成した複数の波動浴床ユニットと、
前記波動浴床ユニットの各々に組み込まれた温水パイプと、
前記温水パイプに温水を並列的に還流させるボイラー装置と、
前記複数の波動浴床ユニットを敷き詰めた床の周囲に形成された溝内に配置され、複数のノズルから温水を流出する散水パイプと、
を備えたことを特徴とするユニット型波動浴装置。
【請求項２】
請求項１記載のユニット型波動浴装置に於いて、前記波動浴床ユニットは、長方形平面形状であり、長方形平面の複数ヵ所に分けて遠赤外線高放射率岩石の薄板を配置したことを特徴とするユニット型波動浴装置。
【請求項３】
請求項１記載のユニット型波動浴装置に於いて、前記ボイラー装置は、前記１又は複数の波動浴床ユニットをグループ化し、各グループごとに温水パイプを直列接続した状態で温水を並列的に還流させることを特徴とするユニット型波動浴装置。
【請求項４】
請求項１記載のユニット型波動浴装置に於いて、更に、前記ボイラー装置からの温水温度を調整する温度調整部と、前記散水パイプによる散水を制御して湿度を調整する湿度調整部とを設けたことを特徴とするユニット型波動浴装置。
【請求項５】
請求項１記載のユニット型波動浴装置に於いて、前記温度調整部は室内温度を４２℃前後に保つように前記ボイラー装置を制御し、前記湿度調整部は室内湿度を８５％〜９５％に保つように散水弁を制御することを特徴とするユニット型波動浴装置。
【請求項６】
請求項１記載のユニット型波動浴装置に於いて、更に、浴室内の雰囲気を換気する換気装置と、浴室内の雰囲気を還流するサーキュレータとを設けたことを特徴とするユニット型波動浴装置。
【考案の詳細な説明】
【技術分野】
【０００１】
本考案は、家庭やホテル個室などで手軽に波動浴を楽しむことのできるユニット型波動浴装置に関する。
【背景技術】
【０００２】
従来、気浴としてはサウナが一般的であり、温度を９０°〜１００℃に設定し、湿度は１０％〜１５％に設定しており、このためサウナに入った場合の人の体感では息苦しく感じられ、一種のがまん状態を続けることで発汗作用を促進させている。
【０００３】
一方、近年にあっては、室温を４２℃〜４３℃に設定し、湿度を８５％〜９５％する気浴として波動浴（岩盤浴）が注目されている。本願出願人は、このような波動浴施設として「グーチョキパー（登録商標）」を運営している。
【０００４】
波動浴は、波動石などの遠赤外線の放射効率の良い岩石を暖め、その岩石の上に寝そべる事により遠赤外線エネルギーを受けて多量の汗をかくことで、体内に蓄積されてきた老廃物や毒素を体外に排出し、石鹸を使用しなくとも、入浴後にはタオルで拭くだけでさっぱり感が得られる。
【０００５】
このにようさっぱり感が得られる理由は、通常の温泉は４２℃〜４３℃でお湯が全身を覆っているので、汗をかく事が出来ず、からだ全体がお湯で覆われているため、その水圧で疲れがたまり、更に石鹸で体を洗わないと、サッパリ感がでないのに対し、波動浴は気浴であることから十分に汗をかくことができ、これによりさっぱり感が得られる。またサウナのような息苦しさはなく、高齢者であっても、例えば１５分間隔で２〜３回入るという正しい入浴法をとることにより、無理なく快適に利用することができる。
【０００６】
このような波動浴は専用の入浴施設を利用しなければならないが、これを家庭やホテル個室などで楽しめるようにするため、波動浴を応用した簡易式の装置が実用化され市販されている。
【特許文献１】特開２００４−２６１５４７号公報
【特許文献２】実用新案登録第３１００５９２号公報
【特許文献３】実用新案登録第３１０４７８７号公報
【特許文献４】実用新案登録第３１０４０５０号公報
【考案の開示】
【考案が解決しようとする課題】
【０００７】
しかしながら、現在市販されている簡易式の波動浴装置は、電気ヒータにより波動石などを暖め、遠赤外線の放射による気浴が中心であり、遠赤外線の作用により体は温められるが、湿度が専用の波動浴施設に比べると低すぎるため、十分な発汗作用が得られず、専用の波動浴施設のような爽快なさっぱり感は得られにくい問題がある。
【０００８】
また電気ヒータを使用しているため、湿度を８５％〜９５％とすることは漏電や短絡事故を招く恐れがあり、湿度を上げることは困難である。
【０００９】
本考案は、温度及び湿度を最適化して十分な発汗作用により家庭やホテル個室などで波動浴を楽しむことのできるユニット型波動浴装置を提供することを目的とする。
【課題を解決するための手段】
【００１０】
この目的を達成するため本考案は次のように構成する。
【００１１】
本考案のユニット型波動浴装置は、
パネルユニットにより構成された浴室と、
浴室の床に敷き詰められ、表面に遠赤外線放射率の高い波動石など遠赤外線高放射率岩石の薄板を配置すると共に本体を遠赤外線高放射率岩石の砂及び砕石を混入したコンクリートで形成した複数の波動浴床ユニットと、
波動浴床ユニットの各々に組み込まれた温水パイプと、
温水パイプに温水を還流させる温水ボイラー装置と、
複数の波動浴床ユニットを敷き詰めた床の周囲に形成された溝内に配置され、複数のノズルから水又は温水を流出する散水パイプと、
を備えたことを特徴とする。
【００１２】
ここで、波動浴床ユニットは、長方形平面形状であり、長方形平面の複数カ所、例えば２ヵ所に分けて遠赤外線高放射率岩石の薄板を配置している。
【００１３】
またボイラー装置は、１又は複数の波動浴床ユニットをグループ化し、各グループごとに温水パイプを直列接続した状態で温水を並列的に還流させる。
【００１４】
更に本考案のユニット型波動浴装置は、ボイラー装置からの温水温度を調整する温度調整部と、散水パイプによる散水を制御して湿度を調整する湿度調整部とを設ける。
【００１５】
温度調整部は室内温度を４２℃前後に保つようにボイラー装置を制御し、湿度調整部は室内湿度を８５％〜９５％に保つように散水弁を制御する。
【００１６】
本考案のユニット型波動浴装置は、更に、浴室内の雰囲気を換気する換気装置と、浴室内の雰囲気を還流するサーキュレータとを設ける。
【考案の効果】
【００１７】
本考案によれば、波動浴専用の入浴施設と同等の波動浴を家庭やホテル個室などで安全且つ簡単に利用することができる。
【００１８】
また温水の還流により加熱されて遠赤外線を放射する波動浴床ユニットは、表面に遠赤外線放射率の高い波動石など遠赤外線高放射率岩石の薄板を配置すると共に本体を遠赤外線高放射率岩石の砂及び砕石を混入したコンクリートとして工場生産され、これを設置現場で浴室床面に並べて敷詰めることで簡単且つ容易に施工することができ、且つ設備コストも低減することができる。
【００１９】
また波動浴床ユニットは、長方形平面形状であり、長方形平面の例えば２ヵ所に分けて遠赤外線高放射率岩石の薄板を配置しているため、波動浴床ユニットを浴室床面に複数敷詰めることで、人が横たわるに十分な幅に亘り２人分の遠赤外線高放射率岩石の薄板を並べることができる。
【００２０】
また浴室床面に並べる波動浴床ユニットの数は必要に応じて任意に選択できることから、異なる浴室サイズであっても、適切且つ簡単に対応することができ、これによりユニット型波動浴装置のサイズ変更に簡単に対応できる。
【００２１】
また浴室床面の周囲に巡らせた溝の散水パイプのノズルを配置して温水を流出させ、常に溝内に温水を供給して蒸発させることで浴室内を高湿度に保ち、これにより室温を４２℃〜４３℃で湿度を８５％〜９５％する波動浴による気浴環境を適切に構築維持することができる。
【考案を実施するための最良の形態】
【００２２】
図１は本考案によるユニット型波動浴装置の全体構成の説明図である。図１において、本考案のユニット型波動浴装置１０は、浴室ユニット１２をステンレスと鋼材のパネル構造にて構成し、浴室ユニット１２内の床面に波動浴床ユニット１４を複数敷き詰めている。
【００２３】
波動浴床ユニット１４は、本体を遠赤外線高放射率の岩石として知られた例えば波動石の砂及び砕石を混入したコンクリートで形成し、コンクリートの表面に遠赤外線高放射率の岩石の薄板を配置している。また波動浴床ユニット１４のコンクリート内には、製造段階で温水パイプ１６が予め埋込配置されている。
【００２４】
波動浴床ユニット１４の温水パイプ１６に対しては床暖ボイラー１８からの温水が温水供給部（ＨＳ）２０を介して供給され、温水パイプ１６を通った温水は温水リターン部（ＨＲ）２２を通って床暖ボイラー１８に戻るように環流されている。
【００２５】
本考案のユニット型波動浴装置１０にあっては、浴室ユニット１２内の温度を４２℃〜４３℃に保つ必要があり、このため波動浴床ユニット１４の温度を部屋の温度より１０℃程度高い５２℃〜５３℃に保つ。したがって床暖ボイラー１８は波動浴床ユニット１４の温度が５２℃〜５３℃の範囲となるように温水を加熱して環流供給している。
【００２６】
また浴室ユニット１２内の波動浴床ユニット１４を敷き詰めた周囲には散水溝が形成されており、この散水溝の中に散水パイプ２４が埋め込まれ、散水パイプ２４の上部に設けた複数のノズル２６から散水溝に温水を流出させ、散水溝に常に温水を保持することで、散水溝の木製溝カバーに設けた蒸発散開孔からの自然蒸発により浴室ユニット１２内の湿度を８５％〜９５％に保つようにしている。
【００２７】
散水パイプ２４のノズル２６から温水が滞留する散水溝は、波動浴床ユニット１４の周囲にモルタル施工などにより作られており、このため散水溝は波動浴床ユニット１４とほぼ同じ４０℃付近の温度に加熱されているため、ここに温水をノズル２６から流し出すことで、効率よく自然蒸発により浴室内の湿度を８５％〜９５％の範囲に保つことができる。
【００２８】
散水パイプ２４には散水弁２５が設けられており、浴室ユニット１２内の湿度を８５％〜９５％に保持する利用時には、予め散水弁２５を手動で開けてノズル２６より温水を流し出すようにしている。散水パイプ２４は、この実施形態にあっては、シャワーユニット３０に対する温水の給水のために設けた給湯ボイラー２８からの給湯パイプに接続されており、したがって給湯ボイラー２８で加熱した温水をノズル２６から散水溝に流し出して湿度を保つようになる。
【００２９】
また浴室ユニット１２の天井面には浴室ユニット１２内の雰囲気を循環させるサーキュレーター３２が設置されており、サーキュレーター３２による浴室ユニット１２内の雰囲気の拡散により、室内の温度を均一に保つと共に湿度を均一に保つようにする。
【００３０】
また天井面に裏側には換気コイルユニット３４が設置されており、外部に設けた排気ファン３５により浴室ユニット１２内の換気を行う。この換気コイルユニット３４に対しては床暖ボイラー１８からの温水パイプが温水弁３６を介して引き込まれており、この温水の環流により温風を浴室ユニット１２内に吹き出せるようにしている。更に、浴室ユニット１２内には照明４０が設けられている。
【００３１】
浴室ユニット１２の外部の適当な位置にはコントローラ３８が設置されている。コントローラ３８は、床暖ボイラー１８、給湯ボイラー２８、サーキュレーター３２、換気ファン３５のそれぞれの運転と停止を行う操作部を備えている。またコントローラ３８には室内温度を表示する温度計と室内湿度を表示する湿度計が設置されており、ユニット型波動浴装置１０を利用する際には、温度計により室内温度が４２℃〜４３℃で且つ室内湿度が８５％〜９５％となっていることを確認して利用することになる。
【００３２】
またコントローラ３８としては、必要に応じて床暖ボイラー１８による波動浴床ユニット１４の温度を５２℃〜５３℃の範囲に制御する温度制御機能を持たせてもよい。また湿度についても、室内湿度を８５％〜９５％の範囲内に制御するように散水弁２５を例えば電動弁などとし、オンオフ制御により室内湿度を制御する機能を設けるようにしてもよい。
【００３３】
図２は図１の浴室ユニット１２の内部平面及び底部端面図である。図２（Ａ）の浴室ユニット１２の内部平面に示すように、浴室床面には、この実施形態にあっては、長方形の平面形状を備えた波動浴床ユニット１４を６個敷き詰めている。波動浴床ユニット１４は、その表面の２箇所に分けて波動石などの遠赤外線高放射率の岩石を用いた波動石薄板４６を一体に貼り付けている。
【００３４】
このように２箇所に波動石薄板４６を一体に貼り付けた複数の波動浴床ユニット１４を浴室内の床に敷き詰めることで、図示の状態で縦方向に並んで２列に波動石薄板４６が配列され、１列の波動石薄板４６の部分が波動浴の際に利用者が横たわる領域となり、このため図２の実施形態にあっては、２列の波動石薄板４６の配置が行われることで２人用のユニット型波動浴装置１０が構成されている。
【００３５】
浴室床面に敷き詰めた波動浴床ユニット１４の周囲には、扉４２を設けた側面を除く３つの側面に沿った周囲部分に、図２（Ｂ）の断面図に示すように散水溝４４が形成されており、散水溝４４の中に埋設された散水パイプ２４（図１参照）に接続したノズル２６が一定間隔で複数配置されている。ノズル２６を配置した散水溝４４の上部には蒸発散用開孔６２を一定間隔で開口した蒸発散用開孔付木製カバー６０が乗せられている。
【００３６】
散水溝４４には、ノズル２６により図１に示した給湯ボイラー     ２８からの温水が、散水弁２５を開位置に操作しておくことで常時流れ出し、散水溝４４は例えばモルタルの打ち込みにより形成されており、内側に配列した波動浴床ユニット１４と直接接触していることから、その加熱温度の伝播を受け、ほぼ４０℃付近に温められている。このように４０℃付近に温められた散水溝４４の中にノズル２６から温水を流し込むことで、自然蒸発により室内の湿度を、必要とする８５％〜９５％の範囲に高めることができる。
【００３７】
図３は浴室床面に配置した波動浴床ユニット内の温水パイプを透視して示した説明図である。図３において、浴室ユニット１２内の床面に配列した波動浴床ユニット１４内には温水パイプ１６が多重のループ状に埋め込み固定されており、右端に設けたパイプ接続口に対しパイプ継手４８，５４及びエルボ継手５０，５２を接続している。
【００３８】
浴室ユニット１２の床面に配置された６つの波動浴床ユニット１４は、２つの波動浴床ユニット１４単位にグループ化しており、各グループごとに温水パイプを接続して温水を並列的に環流させている。
【００３９】
例えば下側の２つの波動浴床ユニット１４のグループを見ると、パイプ継手４８に温水を供給する供給用温水パイプＳを接続し、この一番下の波動浴床ユニット１４を還流した温水は、エルボ継手５０を隣の波動浴床ユニット１４のエルボ継手５２に接続することで次のユニットに直列的に流れ込み、内部を還流した後、パイプ継手５４からリターン用温水パイプＲにより戻るようになる。
【００４０】
このように複数の波動浴床ユニットを例えば２つ単位にグループ化し、それぞれに温水ボイラーから並列的に温水を供給し、供給した温水をグループ内で直接的に流して戻す環流を行わせることで、床暖ボイラー１８から見た各グループに対する温水パイプの長さ、具体的には温水の還流距離をほぼ同じにし、これによって浴室ユニット１２内の床面に配置した複数の波動浴床ユニット１４の温度を、ほぼ均一に５２℃〜５３℃の範囲に加熱保持することができる。
【００４１】
図４は図３の浴室断面図であり、床面に配置した波動浴床ユニット１４のコンクリート内には温水パイプ１６が埋め込まれており、温水パイプ１６は図３の平面図に示したように平面的に多重ループ状に形成されると同時に、図４の断面の厚さ方向についても多重ループ状に埋め込まれており、これによって波動浴床ユニット１４を構成するコンクリート全体及び表面の波動石薄板４６を効率よく５２℃〜５３℃の範囲に加熱保温できるようにしている。
【００４２】
図５は本考案で使用する波動浴床ユニット１４の斜視図である。波動浴床ユニット１４は、その本体を長手矩形形状のコンクリート１５で形成されており、平面的に見た長方形の平面形状において、長辺Ｌ１は例えばＬ１＝１５００ｍｍであり、短辺の長さＷは例えばＷ＝３００ｍｍ程度であり、更に高さＨはＨ＝２００ｍｍ程度としている。
【００４３】
またコンクリート１５の平面に２箇所に分けて埋め込み固定している波動石薄板４６の横幅Ｌ２は例えばＬ２＝５５０ｍｍ程度であり、人間が横になったときの横幅を十分カバーできる程度の寸法としている。また波動石薄板４６の２枚の間の間隔は２００ｍｍ程度あれば、人間がそれぞれ波動石薄板４６の位置で横たわって波動浴を利用することが可能である。
【００４４】
もちろん、波動浴床ユニット１４における各部の寸法は必要に応じて適宜に設定することが可能であるが、波動浴床ユニット１４は工場で生産され設置現場に運び込まれて床面に並べられることから、運搬・施工が容易なように各部の寸法Ｌ１，Ｗ，Ｈを設定することが必要である。
【００４５】
図６は本考案で使用する波動浴床ユニット１４の平面及び断面図であり、コンクリート１５内に埋め込み固定している温水パイプ１６の多重ループによる配置状態を明確に示している。また図５及び図６において、コンクリート１５の右端にはパイプ接続口５６，５８が一体に設けられており、このパイプ接続口５６，５８に、図３に示したようにパイプ継手４８やエルボ継手５０を接続して、温水パイプ及びグループ化した他の波動浴床ユニット１４との連結を組立段階で簡単に行うことができるようにしている。
【００４６】
なお図６の波動浴床ユニット１４にあっては、温水パイプ１６のパイプ接続口５６，５８を片側にまとめて配置しているが、両側に分けてパイプ接続口５６，５８を設けるようにしてもよい。
【００４７】
次に本考案の波動浴床ユニット１４に使用するコンクリートの材料特性を説明する。図７（Ａ）は図５に示した波動浴床ユニット１４のコンクリート１５の製造時におけるコンクリートの材料特性の説明図である。
【００４８】
まずコンクリート１５に使用するコンクリートは、セメントＮ、波動石の砂Ｓ、波動石の砕石Ｇ及び水Ｗを使用しており、それぞれの密度は次のようになる。
【００４９】
セメント      Ｎ        密度＝３．１６
砂  （波動石）Ｓ        密度＝２．５７
砕石（波動石）Ｇ        密度＝２．７５
水            Ｗ        密度＝１．００
【００５０】
図７（Ａ）はコンクリート１５の製造に使用するコンクリートの調合割合を示すコンクリート配合表であり、細骨材率（Ｓ／ａ）を６０％、水セメント比（Ｗ／Ｃ）を６０％とした場合の単位体積当たりの各成分の重量（Ｋｇ／ｍ３）は、コンクリートＣが３３３、水Ｗが２００、波動石の砂Ｓが１０７２、波動石の砕石Ｇが７６５としている。
【００５１】
図７（Ｂ）はモルタルとして使用する際の調合割合を示した配合表であり、このモルタルとしての配合にあっては、細骨材率（Ｓ／ａ）を７０％、水セメント比（Ｗ／Ｃ）を６０％とした場合であり、この場合の各成分の単位体積当たりの重量（Ｋｇ／ｍ３）は、コンクリートＣが３５８、水Ｗが２１５、波動石の砂Ｓが１２０８、波動石の砕石Ｇが５５５としている。
【００５２】
このモルタルとしての調合割合を与える配合表は、例えば図２のように、浴室ユニット１２内に複数の波動浴床ユニット１４を並べて配置した状態でその周囲に散水溝４４を形成したり、室内の必要箇所をモルタル施工で固めるような場合に使用することになる。
【００５３】
なお、図７（Ａ）に示したコンクリート配合表及び図７（Ｂ）に示したモルタルとして使用する場合の配合表は一例であり、砂及び砕石として波動石などの遠赤外線放射率の高い遠赤外線高放射率岩石を使用することを条件に、適宜の配合割合を必要に応じて決めることができる。
【００５４】
次に図１を参照して本考案によるユニット型波動浴装置１０の動作を説明する。ユニット型波動浴装置１０を利用する際には、例えば３０分〜１時間程度の余裕時間を持って、コントローラ３８により床暖ボイラー１８及び給湯ボイラー２８をオンして運転を開始し、温水パイプ１６により波動浴床ユニット１４に温水を還流して、その温度を５２℃〜５３℃に加熱することで室内温度を４２℃〜４３℃に高める。
【００５５】
同時に散水弁２５を開いて、散水パイプ２４により給湯ボイラー２８から温水を供給し、浴室ユニット１２内の床面周囲に形成している散水溝４４にノズル２６から温水を流し出し、波動浴床ユニット１４の加熱に伴う散水溝４４側のモルタルの加熱により、ノズル２６から流し出した温水を蒸発させ、室内湿度を８５％〜９５％に高める。
【００５６】
運転開始から例えば１時間を経過すると、コントローラ３８に設けている温度計及び湿度計が、波動浴に必要な室内温度４２℃〜４３℃で且つ湿度が８５％〜９５％を示すようになり、この状態になれば、いつでもユニット型波動浴装置１０による波動浴を行うことができる。
【００５７】
この波動浴は、図２（Ａ）の浴室ユニット１２内の平面図に示すように、床面の波動石薄板４６の位置に浴衣を着た状態でうつ伏せになり、最初はお腹から５分程度温まる。その後、上向きになり、ゆっくり休みながら１０分程度横になる。こうして約１５分の入浴を１回として、これを２、３回繰り返すようにする。このような入浴により、十分な発汗が行われ、入浴が済んだならば、必要に応じてシャワーユニット３０でシャワーを浴びることも可能である。
【００５８】
このような波動浴の入浴法を補助するため、図１のコントローラ３８にあっては、入浴時に入浴利用ボタンを押すと、浴室内に入浴から５分経過でチャイムなどの時間経過の通知を出し、更に１０分が経過すると入浴終了を示すチャイム音を出力するようなことが望ましい。
【００５９】
なお本考案は、その目的と利点を損なうことのない適宜の変形を含み、更に上記の実施形態に示した数値による限定は受けない。
【図面の簡単な説明】
【００６０】
【図１】本考案によるユニット型波動浴装置の全体構成の説明図
【図２】図１の浴室ユニットの内部平面及び底部断面図
【図３】浴室床面に配置した波動浴床ユニットの温水パイプを透視して示した説明図
【図４】図４の浴室断面図
【図５】本考案で使用する波動浴床ユニットの斜視図
【図６】本考案で使用する波動浴床ユニットの平面及び断面図
【図７】本考案の波動浴床ユニットに使用するコンクリートの材料特性の説明図
【符号の説明】
【００６１】
１０：ユニット型波動浴装置
１２：浴室ユニット
１４：波動浴床ユニット
１５：コンクリート
１６：温水パイプ
１８：床暖ボイラー
２０：温水供給部
２２：温水リターン部
２４：散水パイプ
２５：散水弁
２６：ノズル
２８：給湯ボイラー
３０：シャワーユニット
３２：サーキュレーター
３４：換気コイルユニット
３５：換気ファン
３６：温水弁
３８：コントローラ
４０：照明
４２：扉
４４：散水溝
４６：波動石薄板
４８，５４：パイプ継手
５０，５２：エルボ継手
５６，５８：バイプ接続口
６０：蒸発散用開孔付木製カバー
６２：蒸発散用開孔
【図１】
0003115782.tif 000003
【図２】
0003115782.tif 000004
【図３】
0003115782.tif 000005
【図４】
0003115782.tif 000006
【図５】
0003115782.tif 000007
【図６】
0003115782.tif 000008
【図７】
0003115782.tif 000009